(57)【特許請求の範囲】
【請求項１】
宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に、第１及び第２の接続端子装置からの電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＩＳＤＮサービスを利用する場合であって、情報盤内に引き込まれた加入者回線を第１の接続端子装置に接続し、宅内の何れかのスペースに設置された第１の電話用インタフェースに回線終端装置を介してターミナルアダプタを接続し、ターミナルアダプタのアナログポートを同じスペースに設置された第２の電話用インタフェースに接続するとともに、回線終端装置のＩＳＤＮ端末用ポートをルータを介して同じスペースに設置されたＬＡＮ用インタフェースに接続して成ることを特徴とするマルチメディア配線システム。
【請求項２】
宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に、第１及び第２の接続端子装置からの電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、情報盤内に引き込まれた加入者回線を第１の接続端子装置に接続し、宅内の何れかのスペースに設置された第１の電話用インタフェースにスプリッタを接続し、該スプリッタの電話用ポートを同じスペースに設置された第２の電話用インタフェースに接続するとともに、モデム用ポートをｘＤＳＬモデムに接続し、このｘＤＳＬモデムを同じスペースに設置されたＬＡＮ用インタフェースに接続して成ることを特徴とするマルチメディア配線システム。
【請求項３】
宅内に設置された情報盤の内部に、一方の端子に加入者回線が接続されるとともに、一方の端子と電気的に絶縁された他方の端子に宅内各所に先行配線された電話線が接続される第１の接続端子装置と、宅内各所に先行配線された別の電話線が接続される第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、情報盤の内部に設置されたスプリッタを第１の接続端子装置の一方の端子に接続し、スプリッタの電話用ポートを第２の接続端子装置に接続するとともに、モデム用ポートを第１の接続端子装置の他方の端子に接続し、宅内の何れかのスペースに設置された第１の電話用インタフェースにｘＤＳＬモデムを接続し、このｘＤＳＬモデムを同じスペースに設置されたＬＡＮ用インタフェースに接続して成ることを特徴とするマルチメディア配線システム。
【請求項４】
宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、第１の接続端子装置に外部より引き込まれたｘＤＳＬ専用線を接続するとともに、第２の接続端子装置に外部より引き込まれた加入者回線を接続し、宅内の何れかのスペースに設置された第１の電話用インタフェースにｘＤＳＬモデムを接続し、このｘＤＳＬモデムを同じスペースに設置されたＬＡＮ用インタフェースに接続して成ることを特徴とするマルチメディア配線システム。
【請求項５】
ｘＤＳＬモデムとＬＡＮ用インタフェースとの間にルータを接続して成ることを特徴とする請求項２乃至４の何れかに記載のマルチメディア配線システム。
【請求項６】
ｘＤＳＬモデムが接続されたＬＡＮ用インタフェースとネットワーク集線装置との間のＬＡＮ用配線の途中に情報盤内に収納されたルータを接続して成ることを特徴とする請求項２乃至４の何れかに記載のマルチメディア配線システム。
【請求項７】
宅内に設置された情報盤の内部に、加入者回線が接続される第１の接続端子装置と、宅内各所に先行配線された電話線が接続される第２の接続端子装置と、宅内各所に先行配線されたＬＡＮ用配線が接続されるネットワーク集線装置とを収納し、宅内各所に第２の接続端子装置から引き回された電話線に接続される電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、情報盤の内部に設置されたスプリッタを第１の接続端子装置に接続し、スプリッタの電話用ポートを第２の接続端子装置に接続するとともに、スプリッタのモデム用ポートをｘＤＳＬモデムに接続し、このｘＤＳＬモデムをネットワーク集線装置に接続して成ることを特徴とするマルチメディア配線システム。
【請求項８】
宅内に設置された情報盤の内部に、ｘＤＳＬ専用線が接続される第１の接続端子装置と、宅内各所に先行配線された電話線が接続される第２の接続端子装置と、宅内各所に先行配線されたＬＡＮ用配線が接続されるネットワーク集線装置とを収納し、宅内各所に第２の接続端子装置から引き回された電話線に接続される電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、第２の接続端子装置に外部より引き込まれた加入者回線を接続するとともに、情報盤の内部に収納されたｘＤＳＬモデムを第１の接続端子装置に接続し、このｘＤＳＬモデムをネットワーク集線装置に接続して成ることを特徴とするマルチメディア配線システム。
【請求項９】
宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＣＡＴＶの接続サービスを利用する場合であって、一方の接続端子装置に外部より引き込まれた加入者回線を接続し、宅内の何れかのスペースに外部から引き込まれたＣＡＴＶ加入者線にケーブルモデムを接続するとともに、このケーブルモデムを同じスペースに設置されたＬＡＮ用インタフェースに接続して成ることを特徴とするマルチメディア配線システム。
【請求項１０】
ケーブルモデムとＬＡＮ用インタフェースとの間にルータを接続して成ることを特徴とする請求項９記載のマルチメディア配線システム。
【請求項１１】
ケーブルモデムが接続されたＬＡＮ用インタフェースとネットワーク集線装置との間のＬＡＮ用配線の途中に情報盤内に収納されたルータを接続して成ることを特徴とする請求項９記載のマルチメディア配線システム。
【請求項１２】
宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＣＡＴＶの接続サービスを利用する場合であって、一方の接続端子装置に外部より引き込まれた加入者回線を接続し、情報盤内に設置されたケーブルモデムに外部から引き込まれたＣＡＴＶ加入者線を接続するとともに、このケーブルモデムをネットワーク集線装置に接続して成ることを特徴とするマルチメディア配線システム。
【請求項１３】
宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＦＴＴＨの接続サービスを利用する場合であって、一方の接続端子装置に外部より引き込まれた加入者回線を接続し、宅内の何れかのスペースに設置された光信号と電気信号との変換を行う光電変換装置に外部より引き込まれたＦＴＴＨ加入者線を接続し、この光電変換装置を同じスペースに設置されたＬＡＮ用インタフェースに接続して成ることを特徴とするマルチメディア配線システム。
【請求項１４】
光電変換装置とＬＡＮ用インタフェースとの間にルータを接続して成ることを特徴とする請求項１３記載のマルチメディア配線システム。
【請求項１５】
光電変換装置が接続されたＬＡＮ用インタフェースとネットワーク集線装置との間のＬＡＮ用配線の途中に情報盤内に収納されたルータを接続して成ることを特徴とする請求項１３記載のマルチメディア配線システム。
【請求項１６】
宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＦＴＴＨの接続サービスを利用する場合であって、一方の接続端子装置に外部より引き込まれた加入者回線を接続し、情報盤内に設置された光信号と電気信号との変換を行う光電変換装置に外部から引き込まれたＦＴＴＨ加入者線を接続するとともに、この光電変換装置をネットワーク集線装置に接続して成ることを特徴とするマルチメディア配線システム。
【請求項１７】
上記接続端子装置と電話用インタフェースとの間の配線がバス配線であることを特徴とする請求項１乃至１６の何れかに記載のマルチメディア配線システム。
【請求項１８】
上記接続端子装置と電話用インタフェースとの間の配線がスター配線であることを特徴とする請求項１乃至１６の何れかに記載のマルチメディア配線システム。
【発明の詳細な説明】
【０００１】
【発明の属する技術分野】
本発明は、マルチメディア配線システムに関するものである。
【０００２】
【従来の技術】
近年、ＣＡＴＶやＡＤＳＬなど様々なインターネット接続サービスが普及してきている。
【０００３】
【発明が解決しようとする課題】
しかしながら、宅内の各所でＣＡＴＶなどのインターネット接続サービスを利用しようとすると、宅内の各所に配線工事を行わねばならず、新たなインターネット接続サービスを導入するのが難しいという問題があった。
【０００４】
本発明は上記問題点に鑑みて為されたものであり、その目的とするところは、宅内の各所に先行配線された配線を利用することによってインターネットに接続できるようにしたマルチメディア配線システムを提供することにある。
【０００５】
【課題を解決するための手段】
上記目的を達成するために、請求項１の発明では、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に、第１及び第２の接続端子装置からの電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＩＳＤＮサービスを利用する場合であって、情報盤内に引き込まれた加入者回線を第１の接続端子装置に接続し、宅内の何れかのスペースに設置された第１の電話用インタフェースに回線終端装置を介してターミナルアダプタを接続し、ターミナルアダプタのアナログポートを同じスペースに設置された第２の電話用インタフェースに接続するとともに、回線終端装置のＩＳＤＮ端末用ポートをルータを介して同じスペースに設置されたＬＡＮ用インタフェースに接続して成ることを特徴とする。
【０００６】
請求項２の発明では、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に、第１及び第２の接続端子装置からの電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、情報盤内に引き込まれた加入者回線を第１の接続端子装置に接続し、宅内の何れかのスペースに設置された第１の電話用インタフェースにスプリッタを接続し、該スプリッタの電話用ポートを同じスペースに設置された第２の電話用インタフェースに接続するとともに、モデム用ポートをｘＤＳＬモデムに接続し、このｘＤＳＬモデムを同じスペースに設置されたＬＡＮ用インタフェースに接続して成ることを特徴とする。
【０００７】
請求項３の発明では、宅内に設置された情報盤の内部に、一方の端子に加入者回線が接続されるとともに、一方の端子と電気的に絶縁された他方の端子に宅内各所に先行配線された電話線が接続される第１の接続端子装置と、宅内各所に先行配線された別の電話線が接続される第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、情報盤の内部に設置されたスプリッタを第１の接続端子装置の一方の端子に接続し、スプリッタの電話用ポートを第２の接続端子装置に接続するとともに、モデム用ポートを第１の接続端子装置の他方の端子に接続し、宅内の何れかのスペースに設置された第１の電話用インタフェースにｘＤＳＬモデムを接続し、このｘＤＳＬモデムを同じスペースに設置されたＬＡＮ用インタフェースに接続して成ることを特徴とする。
【０００８】
請求項４の発明では、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、第１の接続端子装置に外部より引き込まれたｘＤＳＬ専用線を接続するとともに、第２の接続端子装置に外部より引き込まれた加入者回線を接続し、宅内の何れかのスペースに設置された第１の電話用インタフェースにｘＤＳＬモデムを接続し、このｘＤＳＬモデムを同じスペースに設置されたＬＡＮ用インタフェースに接続して成ることを特徴とする。
【０００９】
請求項５の発明では、請求項２乃至４の何れかの発明において、ｘＤＳＬモデムとＬＡＮ用インタフェースとの間にルータを接続して成ることを特徴とする。
【００１０】
請求項６の発明では、請求項２乃至４の何れかの発明において、ｘＤＳＬモデムが接続されたＬＡＮ用インタフェースとネットワーク集線装置との間のＬＡＮ用配線の途中に情報盤内に収納されたルータを接続して成ることを特徴とする。
【００１１】
請求項７の発明では、宅内に設置された情報盤の内部に、加入者回線が接続される第１の接続端子装置と、宅内各所に先行配線された電話線が接続される第２の接続端子装置と、宅内各所に先行配線されたＬＡＮ用配線が接続されるネットワーク集線装置とを収納し、宅内各所に第２の接続端子装置から引き回された電話線に接続される電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、情報盤の内部に設置されたスプリッタを第１の接続端子装置に接続し、スプリッタの電話用ポートを第２の接続端子装置に接続するとともに、スプリッタのモデム用ポートをｘＤＳＬモデムに接続し、このｘＤＳＬモデムをネットワーク集線装置に接続して成ることを特徴とする。
【００１２】
請求項８の発明では、宅内に設置された情報盤の内部に、ｘＤＳＬ専用線が接続される第１の接続端子装置と、宅内各所に先行配線された電話線が接続される第２の接続端子装置と、宅内各所に先行配線されたＬＡＮ用配線が接続されるネットワーク集線装置とを収納し、宅内各所に第２の接続端子装置から引き回された電話線に接続される電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、第２の接続端子装置に外部より引き込まれた加入者回線を接続するとともに、情報盤の内部に収納されたｘＤＳＬモデムを第１の接続端子装置に接続し、このｘＤＳＬモデムをネットワーク集線装置に接続して成ることを特徴とする。
【００１３】
請求項９の発明では、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＣＡＴＶの接続サービスを利用する場合であって、一方の接続端子装置に外部より引き込まれた加入者回線を接続し、宅内の何れかのスペースに外部から引き込まれたＣＡＴＶ加入者線にケーブルモデムを接続するとともに、このケーブルモデムを同じスペースに設置されたＬＡＮ用インタフェースに接続して成ることを特徴とする。
【００１４】
請求項１０の発明では、請求項９の発明において、ケーブルモデムとＬＡＮ用インタフェースとの間にルータを接続して成ることを特徴とする。
【００１５】
請求項１１の発明では、請求項９の発明において、ケーブルモデムが接続されたＬＡＮ用インタフェースとネットワーク集線装置との間のＬＡＮ用配線の途中に情報盤内に収納されたルータを接続して成ることを特徴とする。
【００１６】
請求項１２の発明では、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＣＡＴＶの接続サービスを利用する場合であって、一方の接続端子装置に外部より引き込まれた加入者回線を接続し、情報盤内に設置されたケーブルモデムに外部から引き込まれたＣＡＴＶ加入者線を接続するとともに、このケーブルモデムをネットワーク集線装置に接続して成ることを特徴とする。
【００１７】
請求項１３の発明では、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＦＴＴＨの接続サービスを利用する場合であって、一方の接続端子装置に外部より引き込まれた加入者回線を接続し、宅内の何れかのスペースに設置された光信号と電気信号との変換を行う光電変換装置に外部より引き込まれたＦＴＴＨ加入者線を接続し、この光電変換装置を同じスペースに設置されたＬＡＮ用インタフェースに接続して成ることを特徴とする。
【００１８】
請求項１４の発明では、請求項１３の発明において、光電変換装置とＬＡＮ用インタフェースとの間にルータを接続して成ることを特徴とする。
【００１９】
請求項１５の発明では、請求項１３の発明において、光電変換装置が接続されたＬＡＮ用インタフェースとネットワーク集線装置との間のＬＡＮ用配線の途中に情報盤内に収納されたルータを接続して成ることを特徴とする。
【００２０】
請求項１６の発明では、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＦＴＴＨの接続サービスを利用する場合であって、一方の接続端子装置に外部より引き込まれた加入者回線を接続し、情報盤内に設置された光信号と電気信号との変換を行う光電変換装置に外部から引き込まれたＦＴＴＨ加入者線を接続するとともに、この光電変換装置をネットワーク集線装置に接続して成ることを特徴とする。
【００２１】
請求項１７の発明では、請求項１乃至１６の何れかの発明において、上記接続端子装置と電話用インタフェースとの間の配線がバス配線であることを特徴とする。
【００２２】
請求項１８の発明では、請求項１乃至１６の何れかの発明において、上記接続端子装置と電話用インタフェースとの間の配線がスター配線であることを特徴とする。
【００２３】
【発明の実施の形態】
（基本構成１）
本発明の基本構成１の概念図を図１６に示し、図１６中に信号の流れる経路を矢印で示す。本構成は、インターネットに接続するために例えばＩＳＤＮやｘＤＳＬのような電話共用形のインターネット接続サービスを利用した場合を示しており、宅内に設置した情報盤１の内部に、宅内各所に先行配線された電話線９，１０がそれぞれ接続される第１及び第２の接続端子装置としての中継端子台５，６と、宅内各所に先行配線されたＬＡＮ用配線１１が接続されるネットワーク集線装置としてのＨＵＢ７とを収納している。そして、宅内の各部屋Ｒ１〜Ｒ４に、先行配線された電話線８，９にそれぞれ接続される電話用のモジュラジャックからなる電話用コンセント（第１及び第２の電話用インタフェース）２，３を２個づつ配設するとともに、先行配線されたＬＡＮ用配線１１に接続される例えばカテゴリー５のようなＬＡＮ用のモジュラジャックからなるＬＡＮ用コンセント（ＬＡＮ用インタフェース）４を１個づつ配設している。
【００２４】
中継端子台５は接続端子５ａ，５ｂを２個備え、一方の接続端子５ａには加入者回線８を接続し、もう一方の接続端子５ｂには各部屋Ｒ１〜Ｒ４に設置された電話用コンセント２からの電話線９をスター接続してある。ここで、両端子５ａ，５ｂ間は中継端子台５の内部で電気的に接続されており、各電話用コンセント２は電話線９及び中継端子台５を介して加入者回線８に接続されている。また中継端子台６も、中継端子台５と同様に接続端子６ａ，６ｂを２個備え、一方の接続端子６ｂには各部屋Ｒ１〜Ｒ４に設置された電話用コンセント３からの電話線１０をスター接続してある。またＨＵＢ７には、各部屋Ｒ１〜Ｒ４に設置されたＬＡＮ用コンセント４からのＬＡＮ用配線１１をスター接続してある。
【００２５】
このように宅内の各部屋Ｒ１…には電話線９，１０やＬＡＮ用配線１１が先行配線されている。図２０は宅内に先行配線された電話線９，１０及びＬＡＮ用配線１１の概略の配線図であり、情報盤１内に設置された中継端子台５，６には、それぞれ、各部屋Ｒ１…に配設された電話用コンセント２，３からの電話線９，１０が接続される。また、情報盤１内に設置されたＨＵＢ７には端子台１２ａ，１２ｂを介して、各部屋Ｒ１…に配設されたＬＡＮ用コンセント４からのＬＡＮ用配線１１が接続される。また、中継端子台５には保安器（図示せず）を介して加入者回線８が接続される。なお、図１６では図示を分かりやすくするため中継端子台５，６と電話用コンセント２，３との間の配線がそれぞれバス配線となっているように表示しているが、図２０に示すように実際の配線はスター配線となっており、ＬＡＮ用配線１１の配線形式と同様の配線形式であるから、ＬＡＮ用配線１１と同時に配線作業を行うことができ、配線作業の作業性が向上する。尚、中継端子台５，６と電話用コンセント２，３との間の配線をバス配線としても良いことは言うまでもなく、スター配線とした場合に比べて配線長を短くできる。
【００２６】
ここで、本構成では、所望のインターネット接続サービスを利用するための通信機器Ａを部屋Ｒ１に設置しており、この通信機器Ａを加入者回線８に接続された電話用コンセント２に接続する。通信機器Ａは加入者回線８を介して伝送される通話信号と通信データとを分離する機能を有しており、電話用のポートを他方の電話用コンセント２に接続するとともに、通信データ用のポートをＬＡＮ用コンセント４に接続している。
【００２７】
この時、他の部屋Ｒ２〜Ｒ４に設置された電話用コンセント２に接続されている電話機３０は、先行配線された電話線１０を介して通信機器Ａの有する通話信号用のポートに接続されるので、各部屋Ｒ２〜Ｒ４に設置された電話機３０から電話をかけることができる。また、他の部屋Ｒ２〜Ｒ４に設置されたＬＡＮ用コンセント４に接続されているパーソナルコンピュータ（以下、ＰＣと略す。）３１は、先行配線されたＬＡＮ用配線１１を介してＨＵＢ７に接続されるので、先行配線された電話線８及びＬＡＮ用配線１１を利用して、各部屋Ｒ２〜Ｒ４に設置されたＰＣ３１からインターネットに接続することができ、したがって新たに配線工事を行うことなく、宅内の各所からインターネット接続サービスを利用できる。
【００２８】
尚、本構成では、宅内の部屋Ｒ１〜Ｒ４に電話線９，１０やＬＡＮ用配線１１に接続される電話用コンセント２，３およびＬＡＮ用コンセント４を設置しているが、各コンセント２〜４を設置するスペースを宅内の部屋Ｒ１〜Ｒ４に限定する趣旨のものではなく、部屋Ｒ１〜Ｒ４以外の廊下やキッチンやトイレなどのスペースに設置しても良いことは言うまでもない。
【００２９】
（基本構成２）
本発明の基本構成２の概念図を図１７に示し、図１７中に信号の流れる経路を矢印で示す。基本構成１では宅内の部屋Ｒ１に所望のインターネット接続サービスを利用するための通信機器Ａを設置しているが、本構成では情報盤１の内部に通信機器Ａを設置している。尚、通信機器Ａの配置以外は基本構成１と同様であるので、同一の構成要素には同一の符号を付して、その説明は省略する。
【００３０】
ここで、情報盤１内に設置された中継端子台５の接続端子５ａに加入者回線８を接続するとともに、この接続端子５ａに通信機器Ａを接続している。そして、通信機器Ａが具備する電話用のポートを中継端子台６の接続端子６ｂに接続するとともに、データ信号用のポートをＨＵＢ７に接続する。
【００３１】
この時、各部屋Ｒ１〜Ｒ４に設置された電話用コンセント２に接続されている電話機３０は、先行配線された電話線１０を介して通信機器Ａの有する電話用のポートに接続されるので、各部屋Ｒ２〜Ｒ４に設置された電話機３０から電話をかけることができる。また、各部屋Ｒ１〜Ｒ４に設置されたＬＡＮ用コンセント４に接続されているＰＣ３１は、先行配線されたＬＡＮ用配線１１を介してＨＵＢ７に接続されるので、先行配線されたＬＡＮ用配線１１を利用して、宅内の各部屋Ｒ２〜Ｒ４に設置されたＰＣ３１からインターネットに接続することができ、したがって新たに配線工事を行うことなく、宅内の各所からインターネット接続サービスを利用できる。
【００３２】
（基本構成３）
本発明の基本構成３の概念図を図１８に示し、図１８中に信号の流れる経路を矢印で示す。基本構成１はインターネットに接続するために電話共用形のインターネット接続サービスを利用した場合を示しているが、本構成は、インターネットに接続するために電話を共用しないＣＡＴＶやＦＴＴＨのような電話非共用形のインターネット接続サービスを利用しており、そのための通信機器Ａを部屋Ｒ１に設置している。尚、通信機器Ａ以外は基本構成１と同様であるので、同一の構成要素には同一の符号を付して、その説明は省略する。
【００３３】
本構成では宅内の部屋Ｒ１に通信機器Ａを設置しており、この通信機器Ａには外部より部屋Ｒ１に引き込まれた専用の通信回線１３が接続される。そして、通信機器Ａは部屋Ｒ１に設置されたＬＡＮ用コンセント４に接続され、ＬＡＮ用配線１１を介してＨＵＢ７に接続される。而して、他の部屋Ｒ２〜Ｒ４に設置されたＬＡＮ用コンセント４に接続されているＰＣ３１はＨＵＢ７を介して通信機器Ａに接続されるから、先行配線されたＬＡＮ用配線１１を利用して宅内の各部屋Ｒ２〜Ｒ４に設置されたＰＣ３１からインターネットに接続することができ、したがって新たに配線工事を行うことなく、宅内の各所からインターネット接続サービスを利用できる。
【００３４】
また、本構成では情報盤１内に設置された中継端子台６の接続端子６ａに加入者回線８を接続しており、各部屋Ｒ１〜Ｒ４に設置された電話用コンセント３は先行配線された電話線１０と中継端子台６とを介して加入者回線８に接続される。而して、各部屋Ｒ１〜Ｒ４に設置された電話用コンセント３に接続されている電話機３０は、先行配線された電話線１０を介して加入者回線８に接続されるので、各部屋Ｒ１〜Ｒ４に設置された電話機３０から電話をかけることができる。
【００３５】
（基本構成４）
本発明の基本構成４の概念図を図１９に示し、図１９中に信号の流れる経路を矢印で示す。基本構成３ではインターネットに接続するための通信機器Ａを部屋Ｒ１に設置しているが、本構成では、通信機器Ａを情報盤１の内部に設置している。尚、通信機器Ａの配置以外は基本構成３と同様であるので、同一の構成要素には同一の符号を付して、その説明は省略する。
【００３６】
本構成では、情報盤１の内部に通信機器Ａを設置しており、外部より情報盤１内に引き込まれた専用の通信回線１３を通信機器Ａに接続するとともに、通信機器Ａを情報盤１内に設置されたＨＵＢ７に接続している。この時、各部屋Ｒ１〜Ｒ４に設置されたＬＡＮ用コンセント４に接続されるＰＣ３１はＨＵＢ７を介して通信機器Ａに接続されるので、先行配線されたＬＡＮ用配線１１を利用して宅内の各部屋Ｒ２〜Ｒ４に設置されたＰＣ３１からインターネットに接続することができ、したがって新たに配線工事を行うことなく、宅内の各所からインターネット接続サービスを利用できる。
【００３７】
次に上述した各基本構成のマルチメディア配線システムを実施形態を参照して具体的に説明する。
【００３８】
（実施形態１）
本実施形態のマルチメディア配線システムの概略構成図を図１に示す。本実施形態は上述した基本構成１の具体例であり、インターネットに接続するために電話共用形のＩＳＤＮサービスを利用した場合を示し、そのための通信機器Ａとして回線終端装置（以下、ＤＳＵと言う。）１５とターミナルアダプタ（以下、ＴＡと言う。）１６とＩＳＤＮルータ１７とを用いている。尚、通信機器Ａ以外の構成は上述した基本構成１と同様であるので、同一の構成要素には同一の符号を付して、その説明は省略する。
【００３９】
上述のように本実施形態では通信機器ＡとしてＤＳＵ１５とＴＡ１６とＩＳＤＮルータ１７とを用いており、部屋Ｒ１に設置された一方の電話用コンセント（第１の電話用インタフェース）２にＤＳＵ１５を接続するとともに、ＤＳＵ１５にＴＡ１６及びＩＳＤＮルータ１７を接続している。また、ＩＳＤＮルータ１７のＩＳＤＮ端末用ポートは同じ部屋Ｒ１に設置されたＬＡＮ用コンセント（ＬＡＮ用インタフェース）４に接続してあり、ＴＡ１６のアナログポートは同じ部屋Ｒ１に設置されたもう一方の電話用コンセント（第２の電話用インタフェース）３に接続してある。
【００４０】
この時、他の部屋Ｒ２〜Ｒ４に設けた電話用コンセント３に接続されている電話機３０は電話線１０を介してＴＡ１６のアナログポートに接続されるので、他の部屋Ｒ２〜Ｒ４に設置した電話機３０から電話をかけることができる。また、他の部屋Ｒ２〜Ｒ４に設けたＬＡＮ用コンセント４に接続されているＰＣ３１はＨＵＢ７を介してＩＳＤＮルータ１７に接続されるので、ＩＳＤＮルータ１７及びＤＳＵ１５を介してインターネットに接続することができる。
【００４１】
上述のように本実施形態では、先行配線された電話線９及びＬＡＮ用配線１１を利用してＤＳＵ１５及びＩＳＤＮルータ１７を加入者線８やＰＣ３１に接続しており、各部屋Ｒ２〜Ｒ４まで新たに配線を引き回すこと無くなく、各部屋Ｒ２〜Ｒ４に設置されたＰＣ３１からインターネットに接続することができる。
【００４２】
尚、本実施形態ではＤＳＵ１５とＴＡ１６とＩＳＤＮルータ１７とが別体に形成されたものを用いているが、ＤＳＵ１５、ＴＡ１６、ＩＳＤＮルータ１７の内の何れか２つ又は全てを一体化したものを用いても良い。また、ＩＳＤＮルータ１７とＨＵＢ７との間に別のネットワーク集線装置を接続するようにしても良い。
【００４３】
（実施形態２）
本実施形態のマルチメディア配線システムの概略構成図を図２に示す。実施形態１はインターネットに接続するためにＩＳＤＮサービスを利用した場合を示しているが、本実施形態はインターネットに接続するために電話共用形のＡＤＳＬ（asymmetric digital subscriber line）サービスを利用した場合を示しており、そのための通信機器Ａとしてスプリッタ１８とＡＤＳＬモデム１９とローカルルータ２０とを用いている。尚、スプリッタ１８、ＡＤＳＬモデム１９及びローカルルータ２０以外の構成は実施形態１と同様であるので、同一の構成要素には同一の符号を付して、その説明は省略する。
【００４４】
スプリッタ１８はＡＤＳＬ信号と通話信号とを切り分けるためのもので、加入者回線用のポートを部屋Ｒ１に設置された加入者線側の電話用コンセント（第１の電話用インタフェース）２に接続するとともに、電話用ポートを同じ部屋Ｒ１に設置された他方の電話用コンセント（第２の電話用インタフェース）３に接続し、さらにモデム用ポートをＡＤＳＬモデム１９に接続してある。そして、ＡＤＳＬモデム１９をローカルルータ２０を介して同じ部屋に設置されたＬＡＮ用コンセント（ＬＡＮ用インタフェース）４に接続してある。
【００４５】
この時、各部屋Ｒ２〜Ｒ４に設けた電話用コンセント３に接続される電話機３０は電話線１０を介してスプリッタ１８の電話用ポートに接続されるので、他の部屋Ｒ２〜Ｒ４に設置した電話機３０から電話をかけることができる。また、各部屋Ｒ２〜Ｒ４に設けたＬＡＮ用コンセント４に接続されるＰＣ３１はＨＵＢ７を介してローカルルータ２０に接続され、ローカルルータ２０、ＡＤＳＬモデム１９及びスプリッタ１８を介してインターネットに接続することができるので、各部屋Ｒ２〜Ｒ４まで新たに配線を引き回すこと無くなく、各部屋Ｒ２〜Ｒ４に設置されたＰＣ３１からインターネットに接続することができる。
【００４６】
尚、本実施形態ではＡＤＳＬサービスを利用した場合を例に説明を行ったが、ＤＳＬ形式の接続サービスであればＡＤＳＬ以外のＳＤＳＬ（symmetric DSL）やＶＤＳＬ（very high bit rate DSL）などのＤＳＬ形式の接続サービスを利用しても良く、ＤＳＬ形式の接続サービスの総称をｘＤＳＬと言う。また、本実施形態ではスプリッタ１８とＡＤＳＬモデム１９とローカルルータ２０とが別体に形成されたものを用いているが、スプリッタ１８、ＡＤＳＬモデム１９、ローカルルータ２０の内の何れか２つ又は全てを一体化したものを用いても良い。また、ローカルルータ２０とＨＵＢ７との間に別のネットワーク集線装置を接続するようにしても良い。また、本実施形態ではローカルルータ２０を設けているので、各部屋Ｒ２〜Ｒ４に設置されたＰＣ３１から同時にインターネットに接続することができるが、複数のＰＣ３１から同時にインターネットに接続する必要がなければ、ローカルルータ２０を無くしても良い。
【００４７】
（実施形態３）
本実施形態のマルチメディア配線システムの概略構成図を図３に示す。本実施形態は上述した基本構成２の具体例であり、実施形態２と同様、インターネットに接続するために電話共用形のＡＤＳＬサービスを利用した場合を示し、そのための通信機器Ａとしてスプリッタ１８とＡＤＳＬモデム１９とローカルルータ２０とを用いている。そして、実施形態２ではスプリッタ１８とＡＤＳＬモデム１９とローカルルータ２０とを部屋Ｒ１に設置しているのに対して、本実施形態ではスプリッタ１８とＡＤＳＬモデム１９とローカルルータ２０とを情報盤１内に設置している。尚、スプリッタ１８、ＡＤＳＬモデム１９及びローカルルータ２０の配置以外は実施形態２と同様であるので、同一の構成要素には同一の符号を付して、その説明は省略する。
【００４８】
上述のように本実施形態ではスプリッタ１８とＡＤＳＬモデム１９とローカルルータ２０とを情報盤１の内部に設置しており、スプリッタ１８の加入者線用のポートを一方の中継端子台５に接続するとともに、電話用ポートを他方の中継端子台６に接続し、さらにモデム用ポートをＡＤＳＬモデム１９に接続してある。そして、ＡＤＳＬモデム１９はローカルルータ２０を介してＨＵＢ７に接続されている。
【００４９】
この時、各部屋Ｒ１〜Ｒ４に設けた電話用コンセント３に接続される電話機３０は電話線１０を介してスプリッタ１８の電話用ポートに接続されるので、各部屋Ｒ１〜Ｒ４に設置した電話機３０から電話をかけることができる。また、各部屋Ｒ１〜Ｒ４に設けたＬＡＮ用コンセント４に接続されるＰＣ３１はＨＵＢ７を介してローカルルータ２０に接続され、ローカルルータ２０、ＡＤＳＬモデム１９及びスプリッタ１８を介してインターネットに接続することができるので、各部屋Ｒ１〜Ｒ４まで新たに配線を引き回すこと無くなく、各部屋Ｒ１〜Ｒ４に設置したＰＣ３１からインターネットに接続することができる。
【００５０】
尚、本実施形態ではＡＤＳＬサービスを利用した場合を例に説明を行ったが、ＤＳＬ形式の接続サービスであればＡＤＳＬ以外のＳＤＳＬ（symmetric DSL）やＶＤＳＬ（very high bit rate DSL）などのＤＳＬ形式の接続サービスを利用しても良い。また、本実施形態ではスプリッタ１８とＡＤＳＬモデム１９とローカルルータ２０とが別体に形成されたものを用いているが、スプリッタ１８、ＡＤＳＬモデム１９、ローカルルータ２０の内の何れか２つ又は全てを一体化したものを用いても良い。また、ローカルルータ２０とＨＵＢ７との間に別のネットワーク集線装置を接続するようにしても良い。また、本実施形態ではローカルルータ２０を設けているので、各部屋Ｒ２〜Ｒ４に設置されたＰＣ３１から同時にインターネットに接続することができるが、複数のＰＣ３１から同時にインターネットに接続する必要がなければ、ローカルルータ２０を無くしても良い。
【００５１】
（実施形態４）
本実施形態のマルチメディア配線システムの概略構成図を図４に示す。本実施形態はインターネットに接続するために電話共用形のＡＤＳＬサービスを利用した場合を示し、そのための通信機器としてスプリッタ１８とＡＤＳＬモデム１９とローカルルータ２０とを用いている。そして、実施形態２ではスプリッタ１８とＡＤＳＬモデム１９とローカルルータ２０とを全て部屋Ｒ１に設置しているのに対して、本実施形態ではスプリッタ１８を情報盤１内に設置するとともに、ＡＤＳＬモデム１９とローカルルータ２０とを部屋Ｒ１内に設置している。尚、スプリッタ１８、ＡＤＳＬモデム１９及びローカルルータ２０の配置以外は実施形態２と同様であるので、同一の構成要素には同一の符号を付して、その説明は省略する。
【００５２】
上述のように本実施形態ではスプリッタ１８のみを情報盤１内に設置し、ＡＤＳＬモデム１９とローカルルータ２０とを部屋Ｒ１に設置している。ここで、情報盤１内に設置された中継端子台（第１の接続端子装置）５の一方の接続端子５ａには加入者回線８を接続し、中継端子台５のもう一方の接続端子５ｂには各部屋Ｒ１〜Ｒ４に設置された電話用コンセント２からの電話線９を接続してある。尚、中継端子台５の内部では接続端子５ａ，５ｂ間は電気的に絶縁されている。
【００５３】
そして、スプリッタ１８の加入者線用のポートを中継端子台５の接続端子５ａに接続し、接続端子５ａを介して加入者回線８に接続するとともに、モデム用ポートを中継端子台５の接続端子５ｂに、電話用ポートをもう１個の中継端子台（第２の接続端子装置）６にそれぞれ接続している。この時、各部屋Ｒ１〜Ｒ４に設置された電話用コンセント（第１の電話用インタフェース）２は電話線９を介してスプリッタ１８のモデム用ポートに接続され、電話用コンセント（第２の電話用インタフェース）３は電話線１０を介してスプリッタ１８の電話用ポートに接続される。
【００５４】
また、部屋Ｒ１に設置された電話用コンセント２とＬＡＮ用コンセント４との間にＡＤＳＬモデム１９とローカルルータ２０とを接続しており、この時ＡＤＳＬモデム１９が電話線９を介してスプリッタ１８のモデム用ポートに接続され、情報盤１内に設置されたＨＵＢ７がローカルルータ２０を介してＡＤＳＬモデム１９に接続される。而して、各部屋Ｒ２〜Ｒ４に設けたＬＡＮ用コンセント４に接続されるＰＣ３１はＨＵＢ７及びローカルルータ２０を介してＡＤＳＬモデム１９に接続され、ローカルルータ２０、ＡＤＳＬモデム１９及びスプリッタ１８を介してインターネットに接続することができるので、各部屋Ｒ１〜Ｒ４まで新たに配線を引き回すこと無くなく、各部屋Ｒ２〜Ｒ４に設置したＰＣ３１からインターネットに接続することができる。また、各部屋Ｒ１〜Ｒ４に設けた電話用コンセント３に接続される電話機３０は電話線１０を介してスプリッタ１８の電話用ポートに接続されるので、各部屋Ｒ１〜Ｒ４に設置した電話機３０から電話をかけることができる。
【００５５】
尚、本実施形態ではＡＤＳＬサービスを利用した場合を例に説明を行ったが、ＤＳＬ形式の接続サービスであればＡＤＳＬ以外のＳＤＳＬ（symmetric DSL）やＶＤＳＬ（very high bit rate DSL）などのＤＳＬ形式の接続サービスを利用しても良い。また、本実施形態ではＡＤＳＬモデム１９とローカルルータ２０とが別体に形成されたものを用いているが、ＡＤＳＬモデム１９及びローカルルータ２０を一体化したものを用いても良い。また、ローカルルータ２０とＨＵＢ７との間に別のネットワーク集線装置を接続するようにしても良い。また、本実施形態ではローカルルータ２０を設けているので、各部屋Ｒ２〜Ｒ４に設置されたＰＣ３１から同時にインターネットに接続することができるが、複数のＰＣ３１から同時にインターネットに接続する必要がなければ、ローカルルータ２０を無くしても良い。
【００５６】
（実施形態５）
本実施形態のマルチメディア配線システムの概略構成図を図５に示す。本実施形態はインターネットに接続するために電話共用形のＡＤＳＬサービスを利用した場合を示し、そのための通信機器としてスプリッタ１８とＡＤＳＬモデム１９とローカルルータ２０とを用いている。そして、実施形態２ではスプリッタ１８とＡＤＳＬモデム１９とローカルルータ２０とを全て部屋Ｒ１に設置しているのに対して、本実施形態ではスプリッタ１８とＡＤＳＬモデム１９とを部屋Ｒ１に設置するとともに、ローカルルータ２０を情報盤１内に設置している。尚、スプリッタ１８、ＡＤＳＬモデム１９及びローカルルータ２０の配置以外は実施形態２と同様であるので、同一の構成要素には同一の符号を付して、その説明は省略する。
【００５７】
実施形態２では、ＡＤＳＬモデム１９とＬＡＮ用コンセント４との間にローカルルータ２０を接続しているのに対して、本実施形態ではＡＤＳＬモデム１９をＬＡＮ用コンセント４に直接接続し、このＬＡＮ用コンセント４からのＬＡＮ用配線１１を情報盤１内に設置されたローカルルータ２０に接続し、情報盤１内でローカルルータ２０とＨＵＢ７とを接続している。
【００５８】
この時、各部屋Ｒ２〜Ｒ４に設けたＬＡＮ用コンセント４に接続されるＰＣ３１はＨＵＢ７を介してローカルルータ２０に接続され、ローカルルータ２０、ＡＤＳＬモデム１９及びスプリッタ１８を介してインターネットに接続することができるので、各部屋Ｒ２〜Ｒ４まで新たに配線を引き回すこと無くなく、各部屋Ｒ２〜Ｒ４に設置したＰＣ３１からインターネットに接続することができる。
【００５９】
尚、本実施形態ではＡＤＳＬサービスを利用した場合を例に説明を行ったが、ＤＳＬ形式の接続サービスであればＡＤＳＬ以外のＳＤＳＬ（symmetric DSL）やＶＤＳＬ（very high bit rate DSL）などのＤＳＬ形式の接続サービスを利用しても良い。また、本実施形態ではスプリッタ１８とＡＤＳＬモデム１９とが別体に形成されたものを用いているが、スプリッタ１８及びＡＤＳＬモデム１９を一体化したものを用いても良い。また、ローカルルータ２０とＨＵＢ７との間に別のネットワーク集線装置を接続するようにしても良い。また、本実施形態ではローカルルータ２０を設けているので、各部屋Ｒ２〜Ｒ４に設置されたＰＣ３１から同時にインターネットに接続することができるが、複数のＰＣ３１から同時にインターネットに接続する必要がなければ、ローカルルータ２０を無くしても良い。
【００６０】
（実施形態６）
本実施形態のマルチメディア配線システムの概略構成図を図６に示す。本実施形態はインターネットに接続するために電話共用形のＡＤＳＬサービスを利用した場合を示し、そのための通信機器としてスプリッタ１８とＡＤＳＬモデム１９とローカルルータ２０とを用いている。そして、実施形態４ではスプリッタ１８を情報盤１内に設置し、ＡＤＳＬモデム１９とローカルルータ２０とを部屋Ｒ１に設置しているのに対して、本実施形態ではスプリッタ１８とローカルルータ２０とを情報盤１内に設置するとともに、ＡＤＳＬモデム１９を部屋Ｒ１に設置している。尚、ローカルルータ２０の配置以外は実施形態４と同様であるので、同一の構成要素には同一の符号を付して、その説明は省略する。
【００６１】
実施形態４では、ＡＤＳＬモデム１９とＬＡＮ用コンセント４との間にローカルルータ２０を接続しているのに対して、本実施形態ではＡＤＳＬモデム１９をＬＡＮ用コンセント４に直接接続し、このＬＡＮ用コンセント４からのＬＡＮ用配線１１を情報盤１内に設置されたローカルルータ２０に接続し、情報盤１内でローカルルータ２０とＨＵＢ７とを接続している。
【００６２】
この時、各部屋Ｒ２〜Ｒ４に設けたＬＡＮ用コンセント４に接続されるＰＣ３１はＨＵＢ７を介してローカルルータ２０に接続され、ローカルルータ２０、ＡＤＳＬモデム１９及びスプリッタ１８を介してインターネットに接続することができるので、各部屋Ｒ２〜Ｒ４まで新たに配線を引き回すこと無くなく、各部屋Ｒ２〜Ｒ４に設置したＰＣ３１からインターネットに接続することができる。
【００６３】
尚、本実施形態ではＡＤＳＬサービスを利用した場合を例に説明を行ったが、ＤＳＬ形式の接続サービスであればＡＤＳＬ以外のＳＤＳＬ（symmetric DSL）やＶＤＳＬ（very high bit rate DSL）などのＤＳＬ形式の接続サービスを利用しても良い。また、本実施形態ではローカルルータ２０を設けているので、各部屋Ｒ２〜Ｒ４に設置されたＰＣ３１から同時にインターネットに接続することができるが、複数のＰＣ３１から同時にインターネットに接続する必要がなければ、ローカルルータ２０を無くしても良い。また、ローカルルータ２０とＨＵＢ７との間に別のネットワーク集線装置を接続するようにしても良い。
【００６４】
（実施形態７）
本実施形態のマルチメディア配線システムの概略構成図を図７に示す。本実施形態は上述した基本構成３の具体例であり、インターネットに接続するために電話と共用しない電話非共用形のＡＤＳＬサービスを利用した場合を示し、そのための通信機器ＡとしてＡＤＳＬモデム１９とローカルルータ２０とを用いている。尚、通信機器Ａ以外の構成は上述した基本構成３と同様であるので、同一の構成要素には同一の符号を付して、その説明は省略する。
【００６５】
本実施形態では、加入者回線８とは別にＡＤＳＬ専用線２１を情報盤１内に引き込んでおり、ＡＤＳＬ専用線２１を中継端子台（第１の接続端子装置）５の接続端子５ａに接続している。そして、部屋Ｒ１に設置された電話用コンセント（第１の電話用インタフェース）２にＡＤＳＬモデム１９を接続し、このＡＤＳＬモデム１９をローカルルータ２０を介して同じ部屋Ｒ１に設置されたＬＡＮ用コンセント（ＬＡＮ用インタフェース）４に接続しており、ローカルルータ２０はＬＡＮ用配線１１を介してＨＵＢ７に接続される。
【００６６】
この時、他の部屋Ｒ２〜Ｒ４に設けたＬＡＮ用コンセント４に接続されるＰＣ３１はＨＵＢ７を介してローカルルータ２０に接続され、ローカルルータ２０及びＡＤＳＬモデム１９を介してインターネットに接続することができるので、各部屋Ｒ２〜Ｒ４まで新たに配線を引き回すこと無くなく、各部屋Ｒ２〜Ｒ４に設置したＰＣ３１からインターネットに接続することができる。
【００６７】
尚、本実施形態ではＡＤＳＬサービスを利用した場合を例に説明を行ったが、ＤＳＬ形式の接続サービスであればＡＤＳＬ以外のＳＤＳＬ（symmetric DSL）やＶＤＳＬ（very high bit rate DSL）などのＤＳＬ形式の接続サービスを利用しても良い。また、本実施形態ではＡＤＳＬモデム１９とローカルルータ２０とが別体に形成されたものを用いているが、ＡＤＳＬモデム１９とローカルルータ２０とを一体化したものを用いても良い。また、ローカルルータ２０とＨＵＢ７との間に別のネットワーク集線装置を接続するようにしても良い。また、本実施形態ではローカルルータ２０を設けているので、各部屋Ｒ２〜Ｒ４に設置されたＰＣ３１から同時にインターネットに接続することができるが、複数のＰＣ３１から同時にインターネットに接続する必要がなければ、ローカルルータ２０を無くしても良い。
【００６８】
（実施形態８）
本実施形態のマルチメディア配線システムの概略構成図を図８に示す。本実施形態は上述した基本構成４の具体例であり、インターネットに接続するために電話と共用しない電話非共用形のＡＤＳＬサービスを利用した場合を示し、そのための通信機器ＡとしてＡＤＳＬモデム１９とローカルルータ２０とを用いている。尚、通信機器Ａ以外の構成は上述した基本構成４と同様であるので、同一の構成要素には同一の符号を付して、その説明は省略する。
【００６９】
本実施形態では、加入者回線８とは別にＡＤＳＬ専用線２１を情報盤１内に引き込んでおり、ＡＤＳＬ専用線２１を中継端子台（第１の接続端子装置）５の接続端子５ａに接続している。そして、情報盤１内に設置されたＡＤＳＬモデム１９を中継端子台５に接続し、中継端子台５を介してＡＤＳＬ専用線２１に接続するとともに、このＡＤＳＬモデム１９をローカルルータ２０を介してＨＵＢ７に接続している。この時、各部屋Ｒ１〜Ｒ４に設けたＬＡＮ用コンセント４に接続されるＰＣ３１はＨＵＢ７を介してローカルルータ２０に接続され、ローカルルータ２０及びＡＤＳＬモデム１９を介してインターネットに接続することができるので、各部屋Ｒ１〜Ｒ４まで新たに配線を引き回すこと無くなく、各部屋Ｒ１〜Ｒ４に設置したＰＣ３１からインターネットに接続することができる。
【００７０】
また、本実施形態では情報盤１内に設置された中継端子台６の接続端子６ａに加入者回線８を接続しており、各部屋Ｒ１〜Ｒ４に設置された電話用コンセント３は先行配線された電話線１０と中継端子台６とを介して加入者回線８に接続されているので、電話用コンセント３に接続されている電話機３０は先行配線された電話線１０を介して加入者回線８に接続される。
【００７１】
尚、本実施形態ではＡＤＳＬサービスを利用した場合を例に説明を行ったが、ＤＳＬ形式の接続サービスであればＡＤＳＬ以外のＳＤＳＬ（symmetric DSL）やＶＤＳＬ（very high bit rate DSL）などのＤＳＬ形式の接続サービスを利用しても良い。また、本実施形態ではＡＤＳＬモデム１９とローカルルータ２０とが別体に形成されたものを用いているが、ＡＤＳＬモデム１９とローカルルータ２０とを一体化したものを用いても良い。また、ローカルルータ２０とＨＵＢ７との間に別のネットワーク集線装置を接続するようにしても良い。また、本実施形態ではローカルルータ２０を設けているので、各部屋Ｒ２〜Ｒ４に設置されたＰＣ３１から同時にインターネットに接続することができるが、複数のＰＣ３１から同時にインターネットに接続する必要がなければ、ローカルルータ２０を無くしても良い。
【００７２】
（実施形態９）
本実施形態のマルチメディア配線システムの概略構成図を図９に示す。本実施形態はインターネットに接続するために電話と共用しない電話非共用形のＡＤＳＬサービスを利用した場合を示し、そのための通信機器としてＡＤＳＬモデム１９とローカルルータ２０とを用いている。そして、実施形態７ではＡＤＳＬモデム１９とローカルルータ２０とを全て部屋Ｒ１に設置しているのに対して、本実施形態ではＡＤＳＬモデム１９を部屋Ｒ１に設置するとともに、ローカルルータ２０を情報盤１内に設置している。尚、ローカルルータ２０の配置以外は上述した実施形態７と同様であるので、同一の構成要素には同一の符号を付して、その説明は省略する。
【００７３】
実施形態７ではＡＤＳＬモデム１９とＬＡＮ用コンセント４との間にローカルルータ２０を接続しているのに対して、本実施形態ではＡＤＳＬモデム１９をＬＡＮ用コンセント４に直接接続し、このＬＡＮ用コンセント４からのＬＡＮ用配線１１を情報盤１内に設置されたローカルルータ２０に接続し、情報盤１内でローカルルータ２０とＨＵＢ７とを接続している。この時、各部屋Ｒ２〜Ｒ４に設けたＬＡＮ用コンセント４に接続されるＰＣ３１はＨＵＢ７を介してローカルルータ２０に接続され、ローカルルータ２０、ＡＤＳＬモデム１９及びスプリッタ１８を介してインターネットに接続することができるので、各部屋Ｒ２〜Ｒ４まで新たに配線を引き回すこと無くなく、各部屋Ｒ２〜Ｒ４に設置したＰＣ３１からインターネットに接続することができる。
【００７４】
尚、本実施形態ではＡＤＳＬサービスを利用した場合を例に説明を行ったが、ＤＳＬ形式の接続サービスであればＡＤＳＬ以外のＳＤＳＬ（symmetric DSL）やＶＤＳＬ（very high bit rate DSL）などのＤＳＬ形式の接続サービスを利用しても良い。また、本実施形態ではローカルルータ２０を設けているので、各部屋Ｒ２〜Ｒ４に設置されたＰＣ３１から同時にインターネットに接続することができるが、複数のＰＣ３１から同時にインターネットに接続する必要がなければ、ローカルルータ２０を無くしても良い。また、ローカルルータ２０とＨＵＢ７との間に別のネットワーク集線装置を接続するようにしても良い。
【００７５】
（実施形態１０）
本実施形態の概略構成図を図１０に示す。本実施形態は上述した基本構成３の具体例であり、インターネットに接続するために電話と共用しないＣＡＴＶサービスを利用した場合を示し、そのための通信機器Ａとしてケーブルモデム２４とローカルルータ２５とを用いている。尚、通信機器Ａ以外の構成は上述した基本構成３と同様であるので、同一の構成要素には同一の符号を付して、その説明は省略する。
【００７６】
本実施形態では、加入者回線８とは別にＣＡＴＶ加入者線２２を宅内に引き込んでおり、部屋Ｒ１に設けたＣＡＴＶ用コンセント２３を介して部屋Ｒ１に設置されたケーブルモデム２４をＣＡＴＶ加入者線２２に接続している。そして、このケーブルモデム２４をローカルルータ２５を介してＬＡＮ用コンセント４に接続しており、ローカルルータ２５はＬＡＮ用配線１１を介してＨＵＢ７に接続される。この時、他の部屋Ｒ２〜Ｒ４に設けたＬＡＮ用コンセント４に接続されるＰＣ３１はＨＵＢ７を介してローカルルータ２５に接続され、ローカルルータ２５及びケーブルモデム２４を介してインターネットに接続することができるので、各部屋Ｒ２〜Ｒ４まで新たに配線を引き回すこと無くなく、各部屋Ｒ２〜Ｒ４に設置したＰＣ３１からインターネットに接続することができる。
【００７７】
尚、本実施形態ではケーブルモデム２４とローカルルータ２５とが別体に形成されたものを用いているが、ケーブルモデム２４とローカルルータ２５とを一体化したものを用いても良い。また、ローカルルータ２５を設けているので、各部屋Ｒ２〜Ｒ４に設置されたＰＣ３１から同時にインターネットに接続することができるが、複数のＰＣ３１から同時にインターネットに接続する必要がなければ、ローカルルータ２５を無くしても良い。また、ローカルルータ２５とＨＵＢ７との間に別のネットワーク集線装置を接続するようにしても良い。
【００７８】
（実施形態１１）
本実施形態のマルチメディア配線システムの概略構成図を図１１に示す。本実施形態は上述した基本構成４の具体例であり、インターネットに接続するために電話と共用しないＣＡＴＶサービスを利用た場合を示し、そのための通信機器Ａとしてケーブルモデム２４とローカルルータ２５とを用いている。尚、通信機器Ａ以外の構成は上述した基本構成４と同様であるので、同一の構成要素には同一の符号を付して、その説明は省略する。
【００７９】
本システムでは、加入者回線８とは別にＣＡＴＶ加入者線２２を情報盤１内に引き込んでおり、ＣＡＴＶ加入者線２２を情報盤１内に設置されたケーブルモデム２４に接続し、このケーブルモデム２４をローカルルータ２５を介してＨＵＢ７に接続している。この時、各部屋Ｒ１〜Ｒ４に設けたＬＡＮ用コンセント４に接続されるＰＣ３１はＨＵＢ７を介してローカルルータ２５に接続され、ローカルルータ２５及びケーブルモデム２４を介してインターネットに接続することができるので、各部屋Ｒ１〜Ｒ４まで新たに配線を引き回すこと無くなく、各部屋Ｒ１〜Ｒ４に設置したＰＣ３１からインターネットに接続することができる。
【００８０】
尚、本実施形態ではケーブルモデム２４とローカルルータ２５とが別体に形成されたものを用いているが、ケーブルモデム２４とローカルルータ２５とを一体化したものを用いても良い。また、ローカルルータ２５を設けているので、各部屋Ｒ２〜Ｒ４に設置されたＰＣ３１から同時にインターネットに接続することができるが、複数のＰＣ３１から同時にインターネットに接続する必要がなければ、ローカルルータ２５を無くしても良い。また、ローカルルータ２５とＨＵＢ７との間に別のネットワーク集線装置を接続するようにしても良い。
【００８１】
（実施形態１２）
本実施形態の概略構成図を図１２に示す。本実施形態はインターネットに接続するために電話と共用しないＣＡＴＶサービスを利用した場合を示し、そのための通信機器としてケーブルモデム２４とローカルルータ２５とを用いている。そして、実施形態１０ではケーブルモデム２４とローカルルータ２５とを全て部屋Ｒ１に設置しているのに対して、本実施形態ではケーブルモデム２４を部屋Ｒ１に設置するとともに、ローカルルータ２５を情報盤１内に設置している。尚、ローカルルータ２５の配置以外は上述した実施形態１０と同様であるので、同一の構成要素には同一の符号を付して、その説明は省略する。
【００８２】
実施形態１０ではケーブルモデム２４とＬＡＮ用コンセント４との間にローカルルータ２５を接続しているのに対して、本実施形態ではケーブルモデム２４をＬＡＮ用コンセント４に直接接続し、このＬＡＮ用コンセント４からのＬＡＮ用配線１１を情報盤１内に設置されたローカルルータ２５に接続し、情報盤１内でローカルルータ２５とＨＵＢ７とを接続している。この時、各部屋Ｒ２〜Ｒ４に設けたＬＡＮ用コンセント４に接続されるＰＣ３１はＨＵＢ７を介してローカルルータ２５に接続され、ローカルルータ２５及びケーブルモデム２４を介してインターネットに接続することができるので、各部屋Ｒ２〜Ｒ４まで新たに配線を引き回すこと無くなく、各部屋Ｒ２〜Ｒ４に設置したＰＣ３１からインターネットに接続することができる。
【００８３】
尚、本実施形態ではローカルルータ２５を設けているので、各部屋Ｒ２〜Ｒ４に設置されたＰＣ３１から同時にインターネットに接続することができるが、複数のＰＣ３１から同時にインターネットに接続する必要がなければ、ローカルルータ２５を無くしても良い。また、ローカルルータ２５とＨＵＢ７との間に別のネットワーク集線装置を接続するようにしても良い。
【００８４】
（実施形態１３）
本実施形態のマルチメディア配線システムの概略構成図を図１３に示す。本実施形態は上述した基本構成３の具体例であり、インターネットに接続するために電話と共用しないＦＴＴＨサービスを利用た場合を示し、そのための通信機器Ａとして光信号と電気信号とを変換する光電変換装置たる光終端装置（以下、ＯＮＵと言う。）２８とローカルルータ２９とを用いている。尚、通信機器Ａ以外の構成は上述した基本構成３と同様であるので、同一の構成要素には同一の符号を付して、その説明は省略する。
【００８５】
本実施形態では、加入者回線８とは別に光ファイバのようなＦＴＴＨ加入者線２６を宅内に引き込んでおり、部屋Ｒ１に設けたＦＴＴＨ用コンセント２７を介して部屋Ｒ１に設置されたＯＮＵ２８をＦＴＴＨ加入者線２６に接続している。そして、このＯＮＵ２８をローカルルータ２９を介してＬＡＮ用コンセント４に接続しており、ローカルルータ２９はＬＡＮ用配線１１を介してＨＵＢ７に接続される。この時、他の部屋Ｒ２〜Ｒ４に設けたＬＡＮ用コンセント４に接続されるＰＣ３１はＨＵＢ７を介してローカルルータ２９に接続され、ローカルルータ２９及びＯＮＵ２８を介してインターネットに接続することができるので、各部屋Ｒ２〜Ｒ４まで新たに配線を引き回すこと無くなく、各部屋Ｒ２〜Ｒ４に設置したＰＣ３１からインターネットに接続することができる。
【００８６】
尚、本実施形態ではＯＮＵ２８とローカルルータ２９とが別体に形成されたものを用いているが、ＯＮＵ２８とローカルルータ２９とを一体化したものを用いても良い。また本実施形態では光電変換装置としてＯＮＵ２８を用いているが、ＯＮＵ２８の代わりに光ファイバ２６内で伝送される光信号を電気信号に変換するメディアコンバータ（図示せず）などの光電変換装置を用いても良いことは言うまでもない。また、ローカルルータ２９を設けているので、各部屋Ｒ２〜Ｒ４に設置されたＰＣ３１から同時にインターネットに接続することができるが、複数のＰＣ３１から同時にインターネットに接続する必要がなければ、ローカルルータ２５を無くしても良い。また、ローカルルータ２５とＨＵＢ７との間に別のネットワーク集線装置を接続するようにしても良い。
【００８７】
（実施形態１４）
本実施形態のマルチメディア配線システムの概略構成図を図１４に示す。本実施形態は上述した基本構成４の具体例であり、インターネットに接続するために電話と共用しないＦＴＴＨサービスを利用した場合を示し、そのための通信機器ＡとしてＯＮＵ２８とローカルルータ２９とを用いている。尚、通信機器Ａ以外の構成は上述した基本構成４と同様であるので、同一の構成要素には同一の符号を付して、その説明は省略する。
【００８８】
本実施形態では、加入者回線８とは別に光ファイバ２６を情報盤１内に引き込んでおり、光ファイバ２６を情報盤１内に設置されたＯＮＵ２８に接続し、このＯＮＵ２８をローカルルータ２９を介してＨＵＢ７に接続している。この時、各部屋Ｒ１〜Ｒ４に設けたＬＡＮ用コンセント４に接続されるＰＣ３１はＨＵＢ７を介してローカルルータ２９に接続され、ローカルルータ２９及びＯＮＵ２８を介してインターネットに接続することができるので、各部屋Ｒ１〜Ｒ４まで新たに配線を引き回すこと無くなく、各部屋Ｒ１〜Ｒ４に設置したＰＣ３１からインターネットに接続することができる。
【００８９】
尚、本実施形態ではＯＮＵ２８とローカルルータ２９とが別体に形成されたものを用いているが、ＯＮＵ２８とローカルルータ２９とを一体化したものを用いても良い。また本実施形態では光電変換装置としてＯＮＵ２８を用いているが、ＯＮＵ２８の代わりに光ファイバ２６内で伝送される光信号を電気信号に変換するメディアコンバータ（図示せず）などの光電変換装置を用いても良いことは言うまでもない。また、ローカルルータ２９を設けているので、各部屋Ｒ２〜Ｒ４に設置されたＰＣ３１から同時にインターネットに接続することができるが、複数のＰＣ３１から同時にインターネットに接続する必要がなければ、ローカルルータ２５を無くしても良い。また、ローカルルータ２５とＨＵＢ７との間に別のネットワーク集線装置を接続するようにしても良い。
【００９０】
（実施形態１５）
本実施形態のマルチメディア配線システムの概略構成図を図１５に示す。本実施形態はインターネットに接続するために電話と共用しないＦＴＴＨサービスを利用した場合を示し、そのための通信機器してＯＮＵ２８とローカルルータ２９とを用いている。そして、実施形態１３ではＯＮＵ２８とローカルルータ２９とを全て部屋Ｒ１に設置しているのに対して、本実施形態ではＯＮＵ２８を部屋Ｒ１に設置するとともに、ローカルルータ２９を情報盤１内に設置している。尚、ローカルルータ２９の配置以外は上述した実施形態１３と同様であるので、同一の構成要素には同一の符号を付して、その説明は省略する。
【００９１】
実施形態１３ではＯＮＵ２８とＬＡＮ用コンセント４との間にローカルルータ２９を接続しているのに対して、本実施形態ではＯＮＵ２８をＬＡＮ用コンセント４に直接接続し、このＬＡＮ用コンセント４からのＬＡＮ用配線１１を情報盤１内に設置されたローカルルータ２９に接続し、情報盤１内でローカルルータ２９とＨＵＢ７とを接続している。この時、各部屋Ｒ１〜Ｒ４に設けたＬＡＮ用コンセント４に接続されるＰＣ３１はＨＵＢ７を介してローカルルータ２９に接続され、ローカルルータ２９及びＯＮＵ２８を介してインターネットに接続することができるので、各部屋Ｒ２〜Ｒ４まで新たに配線を引き回すこと無くなく、各部屋Ｒ２〜Ｒ４に設置したＰＣ３１からインターネットに接続することができる。
【００９２】
尚、本実施形態では光電変換装置としてＯＮＵ２８を用いているが、ＯＮＵ２８の代わりに光ファイバ２６内で伝送される光信号を電気信号に変換するメディアコンバータ（図示せず）などの光電変換装置を用いても良いことは言うまでもない。また、ローカルルータ２９を設けているので、各部屋Ｒ２〜Ｒ４に設置されたＰＣ３１から同時にインターネットに接続することができるが、複数のＰＣ３１から同時にインターネットに接続する必要がなければ、ローカルルータ２５を無くしても良い。また、ローカルルータ２５とＨＵＢ７との間に別のネットワーク集線装置を接続するようにしても良い。
【００９３】
また上述の各実施形態では、宅内の部屋Ｒ１〜Ｒ４に電話線９，１０やＬＡＮ用配線１１に接続される電話用コンセント２，３およびＬＡＮ用コンセント４を設置しているが、各コンセント２〜４を設置するスペースを宅内の部屋Ｒ１〜Ｒ４に限定する趣旨のものではなく、部屋Ｒ１〜Ｒ４以外の廊下やキッチンやトイレなどのスペースに設置しても良いことは言うまでもない。
【００９４】
【発明の効果】
上述のように、請求項１の発明は、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に、第１及び第２の接続端子装置からの電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＩＳＤＮサービスを利用する場合であって、情報盤内に引き込まれた加入者回線を第１の接続端子装置に接続し、宅内の何れかのスペースに設置された第１の電話用インタフェースに回線終端装置を介してターミナルアダプタを接続し、ターミナルアダプタのアナログポートを同じスペースに設置された第２の電話用インタフェースに接続するとともに、回線終端装置のＩＳＤＮ端末用ポートをルータを介して同じスペースに設置されたＬＡＮ用インタフェースに接続して成ることを特徴とし、先行配線された電話線やＬＡＮ用配線を利用して、ＬＡＮ用インタフェースに接続されたパソコンなどの端末をネットワーク集線装置およびルータを介して回線終端装置に接続することができるから、宅内の各所まで新たに配線を引き回すこと無く、宅内の各所からインターネットに接続できるという効果がある。
【００９５】
請求項２の発明は、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に、第１及び第２の接続端子装置からの電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、情報盤内に引き込まれた加入者回線を第１の接続端子装置に接続し、宅内の何れかのスペースに設置された第１の電話用インタフェースにスプリッタを接続し、該スプリッタの電話用ポートを同じスペースに設置された第２の電話用インタフェースに接続するとともに、モデム用ポートをｘＤＳＬモデムに接続し、このｘＤＳＬモデムを同じスペースに設置されたＬＡＮ用インタフェースに接続して成ることを特徴とし、先行配線された電話線やＬＡＮ用配線を利用して、ＬＡＮ用インタフェースに接続されたパソコンなどの端末をネットワーク集線装置を介してｘＤＳＬモデムに接続することができるから、宅内の各所まで新たに配線を引き回すこと無くなく、宅内の各所からインターネットに接続できるという効果がある。
【００９６】
請求項３の発明は、宅内に設置された情報盤の内部に、一方の端子に加入者回線が接続されるとともに、一方の端子と電気的に絶縁された他方の端子に宅内各所に先行配線された電話線が接続される第１の接続端子装置と、宅内各所に先行配線された別の電話線が接続される第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、情報盤の内部に設置されたスプリッタを第１の接続端子装置の一方の端子に接続し、スプリッタの電話用ポートを第２の接続端子装置に接続するとともに、モデム用ポートを第１の接続端子装置の他方の端子に接続し、宅内の何れかのスペースに設置された第１の電話用インタフェースにｘＤＳＬモデムを接続し、このｘＤＳＬモデムを同じスペースに設置されたＬＡＮ用インタフェースに接続して成ることを特徴とし、先行配線された電話線やＬＡＮ用配線を利用して、ＬＡＮ用インタフェースに接続されたパソコンなどの端末をネットワーク集線装置を介してｘＤＳＬモデムに接続することができるから、宅内の各所まで新たに配線を引き回すこと無くなく、宅内の各所からインターネットに接続できるという効果がある。
【００９７】
請求項４の発明は、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、第１の接続端子装置に外部より引き込まれたｘＤＳＬ専用線を接続するとともに、第２の接続端子装置に外部より引き込まれた加入者回線を接続し、宅内の何れかのスペースに設置された第１の電話用インタフェースにｘＤＳＬモデムを接続し、このｘＤＳＬモデムを同じスペースに設置されたＬＡＮ用インタフェースに接続して成ることを特徴とし、先行配線された電話線やＬＡＮ用配線を利用して、ＬＡＮ用インタフェースに接続されたパソコンなどの端末をネットワーク集線装置を介してｘＤＳＬモデムに接続することができるから、宅内の各所まで新たに配線を引き回すこと無くなく、宅内の各所からインターネットに接続できるという効果がある。
【００９８】
請求項５の発明は、請求項２乃至４の何れかの発明において、ｘＤＳＬモデムとＬＡＮ用インタフェースとの間にルータを接続して成ることを特徴とし、請求項２乃至４の発明の効果に加えて、ＬＡＮ用インタフェースに接続された複数の端末から同時にインターネットに接続できるという効果がある。
【００９９】
請求項６の発明は、請求項２乃至４の何れかの発明において、ｘＤＳＬモデムが接続されたＬＡＮ用インタフェースとネットワーク集線装置との間のＬＡＮ用配線の途中に情報盤内に収納されたルータを接続して成ることを特徴とし、請求項２乃至４の発明の効果に加えて、ＬＡＮ用インタフェースに接続された複数の端末から同時にインターネットに接続できるという効果がある。
【０１００】
請求項７の発明は、宅内に設置された情報盤の内部に、加入者回線が接続される第１の接続端子装置と、宅内各所に先行配線された電話線が接続される第２の接続端子装置と、宅内各所に先行配線されたＬＡＮ用配線が接続されるネットワーク集線装置とを収納し、宅内各所に第２の接続端子装置から引き回された電話線に接続される電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、情報盤の内部に設置されたスプリッタを第１の接続端子装置に接続し、スプリッタの電話用ポートを第２の接続端子装置に接続するとともに、スプリッタのモデム用ポートをｘＤＳＬモデムに接続し、このｘＤＳＬモデムをネットワーク集線装置に接続して成ることを特徴とし、先行配線されたＬＡＮ用配線を利用して、ＬＡＮ用インタフェースに接続されたパソコンなどの端末をネットワーク集線装置を介してｘＤＳＬモデムに接続することができるから、宅内の各所まで新たに配線を引き回すこと無くなく、宅内の各所からインターネットに接続できるという効果がある。
【０１０１】
請求項８の発明は、宅内に設置された情報盤の内部に、ｘＤＳＬ専用線が接続される第１の接続端子装置と、宅内各所に先行配線された電話線が接続される第２の接続端子装置と、宅内各所に先行配線されたＬＡＮ用配線が接続されるネットワーク集線装置とを収納し、宅内各所に第２の接続端子装置から引き回された電話線に接続される電話用インタフェースと、ネットワーク集線装置から引き回されたＬＡＮ用配線に接続されるＬＡＮ用インタフェースとをそれぞれ設け、インターネットに接続するためにｘＤＳＬサービスを利用する場合であって、第２の接続端子装置に外部より引き込まれた加入者回線を接続するとともに、情報盤の内部に収納されたｘＤＳＬモデムを第１の接続端子装置に接続し、このｘＤＳＬモデムをネットワーク集線装置に接続して成ることを特徴とし、先行配線されたＬＡＮ用配線を利用して、ＬＡＮ用インタフェースに接続されたパソコンなどの端末をネットワーク集線装置を介してｘＤＳＬモデムに接続することができるから、宅内の各所まで新たに配線を引き回すこと無くなく、宅内の各所からインターネットに接続できるという効果がある。
【０１０２】
請求項９の発明は、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＣＡＴＶの接続サービスを利用する場合であって、一方の接続端子装置に外部より引き込まれた加入者回線を接続し、宅内の何れかのスペースに外部から引き込まれたＣＡＴＶ加入者線にケーブルモデムを接続するとともに、このケーブルモデムを同じスペースに設置されたＬＡＮ用インタフェースに接続して成ることを特徴とし、先行配線されたＬＡＮ用配線を利用して、ＬＡＮ用インタフェースに接続されたパソコンなどの端末をネットワーク集線装置を介してケーブルモデムに接続することができるから、宅内の各所まで新たに配線を引き回すこと無くなく、宅内の各所からインターネットに接続できるという効果がある。
【０１０３】
請求項１０の発明は、請求項９の発明において、ケーブルモデムとＬＡＮ用インタフェースとの間にルータを接続して成ることを特徴とし、請求項９の発明の効果に加えて、ＬＡＮ用インタフェースに接続された複数の端末から同時にインターネットに接続できるという効果がある。
【０１０４】
請求項１１の発明は、請求項９の発明において、ケーブルモデムが接続されたＬＡＮ用インタフェースとネットワーク集線装置との間のＬＡＮ用配線の途中に情報盤内に収納されたルータを接続して成ることを特徴とし、請求項９の発明の効果に加えて、ＬＡＮ用インタフェースに接続された複数の端末から同時にインターネットに接続できるという効果がある。
【０１０５】
請求項１２の発明は、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＣＡＴＶの接続サービスを利用する場合であって、一方の接続端子装置に外部より引き込まれた加入者回線を接続し、情報盤内に設置されたケーブルモデムに外部から引き込まれたＣＡＴＶ加入者線を接続するとともに、このケーブルモデムをネットワーク集線装置に接続して成ることを特徴とし、先行配線されたＬＡＮ用配線を利用して、ＬＡＮ用インタフェースに接続されたパソコンなどの端末をネットワーク集線装置を介してケーブルモデムに接続することができるから、宅内の各所まで新たに配線を引き回すこと無くなく、宅内の各所からインターネットに接続できるという効果がある。
【０１０６】
請求項１３の発明は、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＦＴＴＨの接続サービスを利用する場合であって、一方の接続端子装置に外部より引き込まれた加入者回線を接続し、宅内の何れかのスペースに設置された光信号と電気信号との変換を行う光電変換装置に外部より引き込まれたＦＴＴＨ加入者線を接続し、この光電変換装置を同じスペースに設置されたＬＡＮ用インタフェースに接続して成ることを特徴とし、先行配線されたＬＡＮ用配線を利用して、ＬＡＮ用インタフェースに接続されたパソコンなどの端末をネットワーク集線装置を介して光電変換装置に接続することができるから、宅内の各所まで新たに配線を引き回すこと無くなく、宅内の各所からインターネットに接続できるという効果がある。
【０１０７】
請求項１４の発明は、請求項１３の発明において、光電変換装置とＬＡＮ用インタフェースとの間にルータを接続して成ることを特徴とし、請求項１３の発明の効果に加えて、ＬＡＮ用インタフェースに接続された複数の端末から同時にインターネットに接続できるという効果がある。
【０１０８】
請求項１５の発明は、請求項１３の発明において、光電変換装置が接続されたＬＡＮ用インタフェースとネットワーク集線装置との間のＬＡＮ用配線の途中に情報盤内に収納されたルータを接続して成ることを特徴とし、請求項１３の発明の効果に加えて、ＬＡＮ用インタフェースに接続された複数の端末から同時にインターネットに接続できるという効果がある。
【０１０９】
請求項１６の発明は、宅内に設置された情報盤の内部に、宅内各所に先行配線された電話線がそれぞれ接続される第１及び第２の接続端子装置と、宅内各所に先行配線されたＬＡＮ用配線が接続されるネットワーク集線装置とを収納し、宅内各所に第１及び第２の接続端子装置から引き回された電話線にそれぞれ接続される第１及び第２の電話用インタフェースと、ネットワーク集線装置から引き回されたＬＡＮ用配線に接続されるＬＡＮ用インタフェースとをそれぞれ設け、インターネットに接続するためにＦＴＴＨの接続サービスを利用する場合であって、一方の接続端子装置に外部より引き込まれた加入者回線を接続し、情報盤内に設置された光信号と電気信号との変換を行う光電変換装置に外部から引き込まれたＦＴＴＨ加入者線を接続するとともに、この光電変換装置をネットワーク集線装置に接続して成ることを特徴とし、先行配線されたＬＡＮ用配線を利用して、ＬＡＮ用インタフェースに接続されたパソコンなどの端末をネットワーク集線装置を介して光電変換装置に接続することができるから、宅内の各所まで新たに配線を引き回すこと無くなく、宅内の各所からインターネットに接続できるという効果がある。
【０１１０】
請求項１７の発明は、請求項１乃至１６の何れかの発明において、上記接続端子装置と電話用インタフェースとの間の配線がバス配線であることを特徴とし、請求項１乃至１６の発明の効果に加え、バス配線とした場合に比べて配線長を短くできるという効果がある。
【０１１１】
請求項１８の発明は、請求項１乃至１６の何れかの発明において、上記接続端子装置と電話用インタフェースとの間の配線がスター配線であることを特徴とし、請求項１乃至１６の発明の効果に加え、接続端子装置と電話用インタフェースとの間の配線がＬＡＮ用配線と同じになるから、ＬＡＮ用配線の配線施工時に電話線の配線も行うことができ、電話線の施工作業を容易に行えるという効果がある。
【図面の簡単な説明】
【図１】実施形態１を示す概略構成図である。
【図２】実施形態２を示す概略構成図である。
【図３】実施形態３を示す概略構成図である。
【図４】実施形態４を示す概略構成図である。
【図５】実施形態５を示す概略構成図である。
【図６】実施形態６を示す概略構成図である。
【図７】実施形態７を示す概略構成図である。
【図８】実施形態８を示す概略構成図である。
【図９】実施形態９を示す概略構成図である。
【図１０】実施形態１０を示す概略構成図である。
【図１１】実施形態１１を示す概略構成図である。
【図１２】実施形態１２を示す概略構成図である。
【図１３】実施形態１３を示す概略構成図である。
【図１４】実施形態１４を示す概略構成図である。
【図１５】実施形態１５を示す概略構成図である。
【図１６】基本構成１を示す概略構成図である。
【図１７】基本構成２を示す概略構成図である。
【図１８】基本構成３を示す概略構成図である。
【図１９】基本構成４を示す概略構成図である。
【図２０】宅内の先行配線を示す概略の配線図である。
【符号の説明】
１  情報盤
２，３  電話用コンセント
４  ＬＡＮ用コンセント
５，６  中継端子台
７  ＨＵＢ
８  加入者回線
９，１０  電話線
１１  ＬＡＮ用配線
１５  ＤＵＳ
１６  ＴＡ
１７  ＩＳＤＮルータ
Ｒ１〜Ｒ４  部屋
【図１】
0003757813.tif 000002
【図２】
0003757813.tif 000003
【図３】
0003757813.tif 000004
【図４】
0003757813.tif 000005
【図５】
0003757813.tif 000006
【図６】
0003757813.tif 000007
【図７】
0003757813.tif 000008
【図８】
0003757813.tif 000009
【図９】
0003757813.tif 000010
【図１０】
0003757813.tif 000011
【図１１】
0003757813.tif 000012
【図１２】
0003757813.tif 000013
【図１３】
0003757813.tif 000014
【図１４】
0003757813.tif 000015
【図１５】
0003757813.tif 000016
【図１６】
0003757813.tif 000017
【図１７】
0003757813.tif 000018
【図１８】
0003757813.tif 000019
【図１９】
0003757813.tif 000020
【図２０】
0003757813.tif 000021